(57)【特許請求の範囲】
【請求項１】
１以上のビデオタイトルセットを含み、ビデオタイトルセットには管理データおよびビデオオブジェクトセットを含み、ビデオオブジェクトセットには複数のセルを含み、各セルが複数のビデオオブジェクトユニットを含み、各ビデオオブジェクトユニットにはナビゲーションパック、ビデオデータ、オーディオデータを含む構造を記録した記録媒体に記録されたビデオデータおよびオーディオデータを再生するための情報再生制御装置において、
ビデオデータおよびオーディオデータの所定再生単位の再生所要時間データを取得する再生所要時間データ取得手段と、
当該再生単位における再生希望時間データを取得する再生希望時間データ取得手段と、
取得した上記各時間データに基づいて、再生単位の再生所要時間と当該再生単位における再生希望時間とを相互に対比可能に絵表示するよう制御する表示制御手段と、
取得した上記各時間データに基づいて、上記再生希望時間に対応する再生箇所から再生情報を再生するよう制御する再生制御手段とを備え、
前記再生希望時間データ取得手段は、
記録媒体のビデオタイトルセット中の管理データに記録された各セルの再生時間に基づいて前記再生希望時間ｔsを含むセルを注目セルとして特定し、
ビデオタイトルセット中の管理データに記録されたビデオタイトルセットの再生時間に基づいて前記再生希望時間ｔsを含むＴＭＵを特定し、
特定したＴＭＵの先頭のビデオオブジェクトユニットが前記注目セルに属するか否かを判断して、属していれば当該ビデオオブジェクトユニットを注目ビデオオブジェクトユニットとし、属していなければ当該ビデオオブジェクトユニットの次のビデオオブジェクトユニットを注目ビデオオブジェクトユニットとし、
注目セルの先頭までの再生時間ｔmと、注目セルの先頭から注目ビデオオブジェクトユニットまでの再生時間ｔvを合計して、先頭から注目ビデオオブジェクトユニットまでの再生時間ｔcを算出し、
注目ビデオオブジェクトユニットの前または後ろのビデオオブジェクトユニットのナビゲーションパックに記述された各ビデオオブジェクトユニットの再生時間を参照して、再生希望時間ｔs以前で最も近い再生時間を有するビデオオブジェクトパックのアドレスを前記再生希望時間ｔsに対応する再生箇所として決定することを特徴とするもの。
【請求項２】
請求項１の情報再生制御装置において、
前記絵表示は、前記再生単位の再生所要時間を基準量とするグラフ表示を含むこと、を特徴とするもの。
【請求項３】
請求項１または請求項２の情報再生制御装置において、
前記再生制御手段は、前記再生情報を前記絵表示の表示される表示装置に表示するよう制御することを特徴とするもの。
【請求項４】
１以上のビデオタイトルセットを含み、ビデオタイトルセットには管理データおよびビデオオブジェクトセットを含み、ビデオオブジェクトセットには複数のセルを含み、各セルが複数のビデオオブジェクトユニットを含み、各ビデオオブジェクトユニットにはナビゲーションパック、ビデオデータ、オーディオデータを含む構造を記録した記録媒体に記録されたビデオデータおよびオーディオデータを再生するための情報再生制御装置をコンピュータを用いて実現するためのプログラムを記録した記録媒体において、
前記プログラムは、
ビデオデータおよびオーディオデータの所定再生単位の再生所要時間データを取得する再生所要時間データ取得手段と、
当該再生単位における再生希望時間データを取得する再生希望時間データ取得手段と、
取得した上記各時間データに基づいて、再生単位の再生所要時間と当該再生単位における再生希望時間とを相互に対比可能に絵表示するよう制御する表示制御手段と、
取得した上記各時間データに基づいて、上記再生希望時間に対応する再生箇所から再生情報を再生するよう制御する再生制御手段とをコンピュータによって実現するためのプログラムであり、
前記再生希望時間データ取得手段は、
記録媒体のビデオタイトルセット中の管理データに記録された各セルの再生時間に基づいて前記再生希望時間ｔsを含むセルを注目セルとして特定し、
ビデオタイトルセット中の管理データに記録されたビデオタイトルセットの再生時間に基づいて前記再生希望時間ｔsを含むＴＭＵを特定し、
特定したＴＭＵの先頭のビデオオブジェクトユニットが前記注目セルに属するか否かを判断して、属していれば当該ビデオオブジェクトユニットを注目ビデオオブジェクトユニットとし、属していなければ当該ビデオオブジェクトユニットの次のビデオオブジェクトユニットを注目ビデオオブジェクトユニットとし、
注目セルの先頭までの再生時間ｔmと、注目セルの先頭から注目ビデオオブジェクトユニットまでの再生時間ｔvを合計して、先頭から注目ビデオオブジェクトユニットまでの再生時間ｔcを算出し、
注目ビデオオブジェクトユニットの前または後ろのビデオオブジェクトユニットのナビゲーションパックに記述された各ビデオオブジェクトユニットの再生時間を参照して、再生希望時間ｔs以前で最も近い再生時間を有するビデオオブジェクトパックのアドレスを前記再生希望時間ｔsに対応する再生箇所として決定することを特徴とするもの。
【請求項５】
請求項４のプログラムを記録した記録媒体において、
前記絵表示は、前記再生単位の再生所要時間を基準量とするグラフ表示を含むこと、を特徴とするもの。
【請求項６】
請求項４または請求項５のプログラムを記録した記録媒体において、
前記再生制御手段は、前記再生情報を前記絵表示の表示される表示装置に表示するよう制御することを特徴とするもの。
【請求項７】
１以上のビデオタイトルセットを含み、ビデオタイトルセットには管理データおよびビデオオブジェクトセットを含み、ビデオオブジェクトセットには複数のセルを含み、各セルが複数のビデオオブジェクトユニットを含み、各ビデオオブジェクトユニットにはナビゲーションパック、ビデオデータ、オーディオデータを含む構造を記録した記録媒体に記録されたビデオデータおよびオーディオデータを再生するための情報再生制御方法であって、
ビデオデータおよびオーディオデータの所定再生単位の再生所要時間データを取得し、
当該再生単位における再生希望時間データを取得し、
取得した上記各時間データに基づいて、再生単位の再生所要時間と当該再生単位における再生希望時間とを相互に対比可能に絵表示するよう制御し、
取得した上記各時間データに基づいて、上記再生希望時間に対応する再生箇所から再生情報を再生するよう制御する情報再生制御方法において、
前記再生希望時間に対応する再生箇所を得る際に、
記録媒体のビデオタイトルセット中の管理データに記録された各セルの再生時間に基づいて前記再生希望時間ｔsを含むセルを注目セルとして特定し、
ビデオタイトルセット中の管理データに記録されたビデオタイトルセットの再生時間に基づいて前記再生希望時間ｔsを含むＴＭＵを特定し、
特定したＴＭＵの先頭のビデオオブジェクトユニットが前記注目セルに属するか否かを判断して、属していれば当該ビデオオブジェクトユニットを注目ビデオオブジェクトユニットとし、属していなければ当該ビデオオブジェクトユニットの次のビデオオブジェクトユニットを注目ビデオオブジェクトユニットとし、
注目セルの先頭までの再生時間ｔmと、注目セルの先頭から注目ビデオオブジェクトユニットまでの再生時間ｔvを合計して、先頭から注目ビデオオブジェクトユニットまでの再生時間ｔcを算出し、
注目ビデオオブジェクトユニットの前または後ろのビデオオブジェクトユニットのナビゲーションパックに記述された各ビデオオブジェクトユニットの再生時間を参照して、再生希望時間ｔs以前で最も近い再生時間を有するビデオオブジェクトパックのアドレスを前記再生希望時間ｔsに対応する再生箇所として決定することを特徴とするもの。
【請求項８】
請求項７の情報生成制御方法において、
前記絵表示は、前記再生単位の再生所要時間を基準量とするグラフ表示を含むこと、を特徴とするもの。
【請求項９】
請求項７または請求項８の情報再生制御方法において、
前記再生情報を前記絵表示の表示される表示装置に表示するよう制御することを特徴とするもの。
【発明の詳細な説明】
【０００１】
【発明の属する技術分野】
この発明は、情報再生制御装置および情報再生方法に関し、特に、経時的な再生情報の再生に関する。
【０００２】
【従来の技術】
情報再生制御装置のひとつとして、ＤＶＤ（ディジタル・バーサタイル・ディスク）ビデオプレーヤが知られている。ＤＶＤビデオプレーヤを用いることによって、ＤＶＤビデオディスクに記録されたタイトル（映画ソフトなど）をＣＲＴ（陰極線管）などに再生させて観賞することができる。
【０００３】
図１２に、ＤＶＤビデオディスクに記録されたタイトルの構成を概念的に表わす。一つのタイトルは、一般に、複数のチャプター（章）により構成されている。視聴者は、タイトルの再生中にリモコン等を用いてチャプター番号を指定することで、再生箇所を所望のチャプターに変更することができる。また、再生時間を指定することにより、再生箇所を変更することができる。さらに、再生画面を見ながら早送りや早戻しを行なうことにより、再生箇所を変更することができる。
【０００４】
【発明が解決しようとする課題】
しかしながら、従来のＤＶＤビデオプレーヤには、次のような問題があった。チャプターの区切りはタイトル製作者が恣意的に定めるものであるから、視聴者が希望する再生箇所と一致するとは限らない。また、再生時間を指定して再生する方法では、所望の再生箇所の再生時間を憶えていなければならない上、時間を入力する動作が煩雑である。さらに、早送りや早戻しによって再生箇所をさがす方法では、所望の再生箇所にたどり着くまでに時間がかかってしまう。すなわち、従来のＤＶＤビデオプレーヤにおいては、所望の再生箇所に変更するのが困難であった。また、希望する再生箇所や現在の再生箇所を直感的に把握することが困難であった。
【０００５】
この発明は、このような問題点を解決し、希望する再生箇所に変更することが容易な情報再生制御装置および情報再生方法を提供することを目的とする。また、希望する再生箇所や現在の再生箇所を直感的に把握することが容易な情報再生制御装置および情報再生方法を提供することを目的とする。
【０００６】
【課題を解決するための手段、発明の作用および効果】
(1)この発明に係る情報再生制御装置は、１以上のビデオタイトルセットを含み、ビデオタイトルセットには管理データおよびビデオオブジェクトセットを含み、ビデオオブジェクトセットには複数のセルを含み、各セルが複数のビデオオブジェクトユニットを含み、各ビデオオブジェクトユニットにはナビゲーションパック、ビデオデータ、オーディオデータを含む構造を記録した記録媒体に記録されたビデオデータおよびオーディオデータを再生するための情報再生制御装置において、
ビデオデータおよびオーディオデータの所定再生単位の再生所要時間データを取得する再生所要時間データ取得手段と、当該再生単位における再生希望時間データを取得する再生希望時間データ取得手段と、取得した上記各時間データに基づいて、再生単位の再生所要時間と当該再生単位における再生希望時間とを相互に対比可能に絵表示するよう制御する表示制御手段と、取得した上記各時間データに基づいて、上記再生希望時間に対応する再生箇所から再生情報を再生するよう制御する再生制御手段とを備え、
前記再生希望時間データ取得手段は、記録媒体のビデオタイトルセット中の管理データに記録された各セルの再生時間に基づいて前記再生希望時間ｔsを含むセルを注目セルとして特定し、ビデオタイトルセット中の管理データに記録されたビデオタイトルセットの再生時間に基づいて前記再生希望時間ｔsを含むＴＭＵを特定し、特定したＴＭＵの先頭のビデオオブジェクトユニットが前記注目セルに属するか否かを判断して、属していれば当該ビデオオブジェクトユニットを注目ビデオオブジェクトユニットとし、属していなければ当該ビデオオブジェクトユニットの次のビデオオブジェクトユニットを注目ビデオオブジェクトユニットとし、注目セルの先頭までの再生時間ｔmと、注目セルの先頭から注目ビデオオブジェクトユニットまでの再生時間ｔvを合計して、先頭から注目ビデオオブジェクトユニットまでの再生時間ｔcを算出し、注目ビデオオブジェクトユニットの前または後ろのビデオオブジェクトユニットのナビゲーションパックに記述された各ビデオオブジェクトユニットの再生時間を参照して、再生希望時間ｔs以前で最も近い再生時間を有するビデオオブジェクトパックのアドレスを前記再生希望時間ｔsに対応する再生箇所として決定することを特徴している。
【０００７】
したがって、所定再生単位の再生所要時間と当該再生単位における再生希望時間との相対関係を直感的に把握することができる。すなわち、再生希望箇所を、再生所要時間に対する再生希望時間の相対的な関係として容易に把握することができる。この結果、希望する再生箇所に変更することが容易になる。
【０００８】
(2)この発明に係る情報再生制御装置は、絵表示が、前記再生単位の再生所要時間を基準量とするグラフ表示を含むことを特徴としている。
【０００９】
したがって、再生単位の再生所要時間の長短にかかわらず、希望する再生箇所や現在の再生箇所を、再生単位の再生所要時間を基準としてより直感的に把握することができる。
【００１０】
(3)この発明に係る情報再生制御装置は、再生制御手段が、再生情報を前記絵表示の表示される表示装置に表示するよう制御することを特徴としている。
【００１１】
したがって、再生情報を観賞しながら、希望する再生箇所や現在の再生箇所を直感的に把握することが容易である。
【００２０】
なお、請求項において、「経時的な再生情報」とは、再生時間の経過にしたがって再生内容が変化するような情報をいい、映画を記録した情報や音楽を記録した情報を含む概念である。実施形態においては、プレゼンテーションデータが、これに該当する。
【００２１】
「所定再生単位」とは、一定のまとまりを持った再生の単位をいい、再生内容全体を含む他、再生内容の一部を含む概念である。実施形態においては、タイトルやチャプターが、これに該当する。
【００２２】
「時間データ」とは、時間に変換可能なデータをいい、時間そのものを表すデータの他、時間を他の単位（たとえばキー操作の回数や、距離の単位など）に変換したデータを含む概念である。実施形態では、図８の、タイトルの総再生時間に対応する棒状のグラフの長さａや、タイトル開始から現在までの再生経過時間に対応する棒状のグラフの長さｂなどが、これに該当する。
【００２３】
「絵表示」とは、絵を用いて情報を伝達するための表示をいい、文字のみを用いて情報を伝達するための表示を含まない概念である。実施形態では、図８の、グラフ４２やカーソル４４などが、これに対応する。
【００２４】
【発明の実施の形態】
図１は、この発明の一実施形態による情報再生制御装置２０の構成を示す図面である。情報再生制御装置２０は、記録媒体２２に記録された経時的な再生情報を再生するための装置であって、入力装置１６、再生所要時間データ取得手段３０、再生希望時間データ取得手段３２、再生経過時間データ取得手段３４、表示制御手段３８、および、再生制御手段４０を備えている。
【００２５】
再生所要時間データ取得手段３０は、記録媒体２２に記録された管理情報に基づいて、再生情報の所定再生単位の再生所要時間データを取得する。
【００２６】
再生希望時間データ取得手段３２は、入力装置１６から入力された情報に基づいて、当該再生単位における再生希望時間データを取得する。また、再生希望時間データ取得手段３２は、入力装置１６から入力された所定の増加命令または減少命令にしたがって、再生希望時間を増加する方向または減少する方向に再生希望時間データを変更することができる。
【００２７】
再生経過時間データ取得手段３４は、記録媒体２２に記録された管理情報に基づいて、再生単位における現在の再生経過時間データを取得する。
【００２８】
表示制御手段３８は、取得された上記各時間データに基づいて、所定再生単位の再生所要時間、当該再生単位における再生希望時間、当該再生単位における現在の再生経過時間を、相互に対比可能に、表示装置２４に絵表示するよう制御する。
【００２９】
再生制御手段４０は、取得された上記各時間データに基づいて、上記再生希望時間に対応する再生箇所から再生情報を再生するよう制御する。再生制御手段４０は、また、再生情報を上記絵表示の表示される表示装置２４に表示するよう制御する
図２は、図１に示す情報再生制御装置をＤＶＤビデオプレーヤ（以下、単に「プレーヤ」ということがある。）２０として実現した場合のハードウェア構成を示す図面である。プレーヤ２０においては、図１に示す各機能をＣＰＵ４を用いて実現している。
【００３０】
メモリ２には、プレーヤ２０全体のシステム動作を司どるプログラムや絵表示などを行なわせるためのプログラムの他、各種データが記憶される。
【００３１】
リモコン（入力装置）１６からの操作信号は、インターフェース１８を介してＣＰＵ４に送られる。ＣＰＵ４は、リモコン１６からの操作信号にしたがって、メモリ２に記憶されたプログラムを実行する。すなわち、視聴者は、リモコン１６を操作することによって所望の動作をプレーヤ２０に行なわせることができる。
【００３２】
ランダムアクセス可能な記録媒体であるＤＶＤビデオディスク（以下、単に「ディスク」ということがある。）２２に記録されたデータには、映像データや音声データであるプレゼンテーションデータ（再生情報）と、ナビゲーションデータ（管理情報）とが含まれている。
【００３３】
ドライブユニット・サーボ処理部（以下、単に「ドライブユニット」ということがある。）６は、ディスク２２に記録されたこれらのデータを読み込む。
【００３４】
信号処理部８は、ドライブユニット６から読み込まれたデータに対して復調・誤り訂正処理を行なう。
【００３５】
映像／音声復号処理部１０は、復調・誤り訂正処理の施されたデータを映像データ、音声データ、ナビゲーションデータ等に振分けるとともに、復号化処理を行なうことにより、所定形式の映像データおよび音声データを得る。
【００３６】
ビデオエンコード部１２は、復号化処理された映像データを所定形式のビデオ信号に変換し、ＣＲＴ（表示装置）２４に出力する。一方、Ｄ／Ａ変換処理部１４は、復号化処理された音声データ（ディジタルデータ）を所定形式のアナログ音声信号に変換し、スピーカ２６に出力する。また、映像／音声復号処理部１０において復号化処理された音声データ（ディジタルデータ）を、そのまま外部機器２８に出力することもできる。なお、復号化処理される前の音声データ（ディジタルデータ）を、そのまま外部機器２８に出力することもできる。
【００３７】
ＣＰＵ４は、ドライブユニット６、信号処理部８、映像／音声復号処理部１０を制御する一方、映像／音声復号処理部１０において得られたナビゲーションデータに基づいて、現在の再生位置や再生経過時間を知る。ＣＰＵ４は、また、得られたナビゲーションデータやリモコン１６からの操作信号に基づいて、再生箇所を変更する。
【００３８】
ＣＰＵ４は、さらに、ナビゲーションデータやリモコン１６からの操作信号に基づいて、絵表示を行なうためのデータを生成し、これを映像／音声復号処理部１０に出力する。このデータは、映像／音声復号処理部１０においてＯＳＤ（On Screen Display）処理された後、ビデオエンコード部１２を介して、ＣＲＴ２４に出力され、絵表示（図８参照）としてＣＲＴ２４に表示される。
【００３９】
なお、ＣＰＵ４が、図１に示す再生所要時間データ取得手段３０、再生希望時間データ取得手段３２、再生経過時間データ取得手段３４、表示制御手段３８、および、再生制御手段４０に対応する。
【００４０】
図３および図４は、ディスク２２に記録されたデータの論理データ構造の一例を示す図面である。データ構造の観点からみれば、図３に示すように、ディスク２２は、ボリューム及びファイル構造を記録した部分、ＤＶＤビデオゾーン、ＤＶＤアザーゾーンを備えている。
【００４１】
ＤＶＤビデオゾーンは、一つのビデオマネージャー（ＶＭＧ）と、一つ以上のビデオタイトルセット（ＶＴＳ）とを備えている。
【００４２】
ＶＭＧは、ビデオマネージャー情報（ＶＭＧＩ）、ＶＭＧメニュー用ビデオオブジェクトセット（ＶＭＧＭ  ＶＯＢＳ）、ＶＭＧＩのバックアップを備えている。ＶＭＧＩには、ＤＶＤビデオゾーン全体の管理情報が記録されている。ＶＭＧＭ  ＶＯＢＳには、タイトルメニューの画像データ及び音声データが記録されている。
【００４３】
ＶＴＳは、ビデオタイトルセット情報（ＶＴＳＩ）、ＶＴＳメニュー用ビデオオブジェクトセット（ＶＴＳＭ  ＶＯＢＳ）、タイトル用ビデオオブジェクトセット（ＶＴＳＴＴ  ＶＯＢＳ）、ＶＴＳＩのバックアップを備えている。ＶＴＳＩには、ＶＴＳ内に記録されるタイトルに関する管理情報が記録されている。ＶＴＳＭ  ＶＯＢＳには、一つ以上のサブメニューの画像データ及び音声データが記録されている。また、ＶＴＳＴＴ  ＶＯＢＳには、タイトルと呼ばれるＤＶＤのメインの画像データ及び音声データ（たとえば、映画本編の画像及び音声の実データ）が一つ以上記録されている。
【００４４】
このタイトル用ビデオオブジェクトセット（ＶＴＳＴＴ  ＶＯＢＳ。以下、単に「ＶＯＢＳ」ということがある。）は、図４に示すように、一つ以上のビデオオブジェクト（ＶＯＢ）を備えており、ＶＯＢは、一つ以上のセル（Ｃ）を備えている。すなわち、ＶＯＢＳは一つ以上のセルを備えていることになる。
【００４５】
セルは、一つ以上のビデオオブジェクトユニット（ＶＯＢＵ）を備えている。
【００４６】
ＶＯＢＵは、一つのナビゲーションパック（ＮＶ  ＰＣＫ）、複数のビデオデータ（Ｖ  ＰＣＫ）、複数のオーディオデータ（Ａ  ＰＣＫ）、複数のサブピクチャデータ（ＳＰ  ＰＣＫ）を備えている。ＮＶ  ＰＣＫには、ＶＯＢＵの管理情報が記録されている。なお、ＳＰ  ＰＣＫには、字幕データなどが記録されている。
【００４７】
図４に示すビデオデータ（Ｖ  ＰＣＫ）、オーディオデータ（Ａ  ＰＣＫ）、サブピクチャデータ（ＳＰ  ＰＣＫ）が、プレゼンテーションデータ（再生情報）に該当する。
【００４８】
図３に示すビデオマネージャー情報（ＶＭＧＩ）およびビデオタイトルセット情報（ＶＴＳＩ）、ならびに図４に示すナビゲーションパック（ＮＶ  ＰＣＫ）が、前述のナビゲーションデータ（管理情報）に該当する。
【００４９】
図３に示すＶＭＧＩには、ＤＶＤビデオゾーンを構成する各ビデオタイトルセット（ＶＴＳ）の開始アドレスなどが記録されている。
【００５０】
ＶＴＳＩには、当該ＶＴＳに含まれる各タイトルの総再生時間、ＶＴＳを構成する各セルの再生時間および開始アドレス、当該ＶＴＳを構成する各チャプター（図９参照）を構成するセルのうち先頭セルのセル番号、後述するビデオタイトルセットタイムマップテーブル（ＶＴＳ  ＴＭＡＰＴ）などが記録されている。
【００５１】
図４に示すナビゲーションパック（ＮＶ  ＰＣＫ）には、当該ＶＯＢＵの属するセルの先頭から当該ＶＯＢＵまでの再生時間、当該ＶＯＢＵの直前および直後に位置するＶＯＢＵのアドレスなどが記録されている。
【００５２】
図５および図６は、プレーヤ２０の動作を説明するためのフローチャートである。図７Ａ，Ｂ，Ｃおよび図８は、プレーヤ２０の動作を説明するための図面である。図２および図５〜図６に基づいて、適宜、他の図面を参照しつつ、プレーヤ２０の動作を説明する。以下、とくにことわらない限り、一つのディスクに一つのタイトルが記録されている場合を例に説明する。
【００５３】
図２に示すディスク２２がプレーヤ２０に挿入されディスク２２からデータの読み込みが始ると、ＣＰＵ４は、映像／音声復号処理部１０を介して、管理データ（ＶＴＳＩ）を取込み、メモリ２に格納する（ステップＳ１）。その後、ビデオ映像の再生が開始される（ステップＳ２）。
【００５４】
ＣＰＵ４は、視聴者から現在の再生位置を表示せよとの要求があるか否かを監視している（ステップＳ３）。視聴者から、リモコン１６を介して再生位置表示要求信号が入力されると、ＣＰＵ４は、現在再生中のタイトル（所定再生単位）の総再生時間（再生所要時間）およびこれに対する現在の再生位置をＣＲＴにグラフ表示するよう制御する（ステップＳ４）。
【００５５】
現在再生中のタイトルの総再生時間は、ステップＳ１においてメモリ２に格納されている。
【００５６】
一方、タイトル開始から現在までの再生経過時間は、タイトル先頭のセルから現在再生中のセルの前のセルまでの再生時間の合計と、現在再生中のセルの先頭から現在再生中のＶＯＢＵまでの再生経過時間との和をとればよい（図４参照）。
【００５７】
各セルの再生時間は、ステップＳ１においてメモリ２に格納されている。また、現在再生中のセルの先頭から現在再生中のＶＯＢＵまでの再生経過時間は、上述のように、ナビゲーションパック（ＮＶ  ＰＣＫ）に記録されており、ＣＰＵ４は、タイトルの再生中に、映像／音声復号処理部１０を介して、ナビゲーションパック（ＮＶ  ＰＣＫ）から当該データを読取る。このようにして、タイトル開始から現在までの再生経過時間を知ることができる。
【００５８】
このようにして得られた現在再生中のタイトルの総再生時間をＡ、タイトル開始から現在までの再生経過時間をＢで表すとともに、当該総再生時間Ａに対応する棒状のグラフの長さ（再生所要時間データ）をａに設定すると、当該再生経過時間Ｂに対応する棒状のグラフの長さ（再生経過時間データ）ｂは、次式で記述することができる、
ｂ＝Ｂ／Ａ×ａ    。
【００５９】
ＣＰＵ４は、このようなａおよびｂに基づいて、グラフ表示（絵表示）を行なうためのデータを生成し、映像／音声復号処理部１０を介して、図８に示すように、ＣＲＴ２４の表示部２４ａにグラフ４２を表示させる。グラフ４２は、再生中のタイトル観賞の妨げにならないよう、好ましくは、表示部２４ａの隅に表示される。グラフ４２の全長が、現在再生中のタイトルの総再生時間に対応し、グラフ４２の縦線塗り潰し部分が、タイトル開始から現在までの再生経過時間に対応する。
【００６０】
このように、現在再生中のタイトルの総再生時間を基準量としてグラフ表示をすることで、タイトルの総再生時間の長短にかかわらず、希望する再生箇所（後述）や現在の再生箇所を、タイトルの総再生時間を基準としてより直感的に把握することができる。
【００６１】
また、タイトルの映像が再生されるＣＲＴ２４の表示部２４ａに、併せて、グラフ４２を表示させるようにしているので、タイトルを観賞しながら、希望する再生箇所や現在の再生箇所を直感的に把握することが容易となる。
【００６２】
図５に戻って、ＣＰＵ４は、つぎに、現在再生中のタイトルの再生位置を変更する旨の要求があるか否かを監視する（ステップＳ５）。
【００６３】
視聴者から、リモコン１６を介して再生位置変更要求信号が入力されると、ＣＰＵ４は、図８に示すＣＲＴ２４の表示部２４ａに、カーソル（ポインタ）４４を表示する（ステップＳ６）。カーソル４４は、グラフ４２の近傍、すなわち、グラフ４２と対比可能な位置に表示される。なお、カーソル４４の初期表示位置は特に限定されるものではないが、現在の再生経過時間Ｂに対応する位置に表示するのが好ましい。
【００６４】
つぎに、ＣＰＵ４は、カーソル４４の移動命令が入力されるのを監視し、視聴者から、リモコン１６を介してカーソル４４の移動命令信号が入力されると、ＣＰＵ４は、表示部２４ａ上で、グラフ４２に沿ってカーソル４４を移動させる（ステップＳ７）。
【００６５】
カーソル４４の表示位置を、右方向（図８におけるＸ１方向）に移動する命令（増加命令）が、リモコン１６から入力されると、ＣＰＵ４は、グラフ４２に沿ってカーソル４４を、現在の位置から右方向に移動させるよう制御する。逆に、左方向（図８におけるＸ２方向）に移動する命令（減少命令）が、リモコン１６から入力されると、ＣＰＵ４は、グラフ４２に沿ってカーソル４４を、現在の位置から左方向に移動させるよう制御する。ＣＰＵ４の制御にしたがって、カーソル４４は、表示部２４ａ上で、現在の表示位置から右または左に移動する。
【００６６】
この場合、たとえば、リモコン１６の右方向移動キーや左方向移動キー（図示せず）を操作することによって、操作時間や操作回数に対応したカーソル移動命令が生成されるようにしても良いし、数値キー（図示せず）を操作することによって、当該数値に対応したカーソル移動命令が生成されるようにしてもよい。
【００６７】
ＣＰＵ４は、カーソル４４の位置を決定する決定キー（好ましくは、リモコン１６に設けられる。）が押されたか否かを監視している（ステップＳ８）。決定キーが押される前であれば、ＣＰＵ４は、カーソル４４の移動命令を受付けており、カーソル４４の移動命令信号が入力されると、ＣＰＵ４は、表示部２４ａ上で、グラフ４２に沿ってカーソル４４を、さらに移動させる。
【００６８】
このように、カーソル４４を右方向に移動するか左方向に移動するかを入力するだけで、再生希望時間を容易に変更することができるので、希望する再生箇所に変更することが、極めて容易である。
【００６９】
決定キーが押されると、ＣＰＵ４は、カーソル４４の位置を読取り、読取ったカーソル４４の位置情報に基づいて、当該タイトルにおける新たな再生位置（アドレス）を求める（ステップＳ９）。
【００７０】
新たな再生位置を算出する処理について詳述する。図８に示す表示部２４ａ上における棒状のグラフ４２の起点からカーソル４４の位置までの距離（再生希望時間データ）をｃとすれば、タイトルの先頭を起点とする新たな再生位置における再生時間（再生希望時間）ｔsは、次式で記述することができる、
ｔs＝ｃ／ａ×Ａ    。
【００７１】
なお、上述の場合と同様に、上式において、現在再生中のタイトルの総再生時間をＡ、当該総再生時間Ａに対応する棒状のグラフの長さをａとしている。
【００７２】
ＣＰＵ４は、このようにして算出した再生希望時間ｔsから、新たな再生位置のアドレスを求める。再生希望時間ｔsから、新たな再生位置のアドレスを求める処理を、図６に示すフローチャートに基づいて説明する。
【００７３】
ＣＰＵ４は、まず、現在再生中のタイトルを構成するセルのうち、再生希望時間ｔsに対応するセルのセル番号ｄＣＮを求める（ステップＳ２１）。
【００７４】
図７Ａに示すように、タイトルを構成する各セルの再生時間ｔ１，ｔ２，・・・を加算すれば、注目すべきセル＃ｋの再生開始時間が分る。これを利用して、再生希望時間ｔsが、どのセルに含まれるかを知ることができる。なお、タイトルを構成する各セルの再生時間ｔ１，ｔ２，・・・は、上述のように、ステップＳ１においてメモリ２に格納されている。
【００７５】
ＣＰＵ４は、さらに、再生希望時間ｔsに近いビデオオブジェクトユニット（ＶＯＢＵ）のアドレスを求める（ステップＳ２２）。
【００７６】
当該ＶＯＢＵのアドレスを求めるには、ステップＳ１においてメモリ２に取込まれたビデオタイトルセットタイムマップテーブル（ＶＴＳ  ＴＭＡＰＴ）を利用する。
【００７７】
図７Ｂは、タイトルを構成するＶＯＢＵを再生順に並べた概念図である。このように並べたＶＯＢＵを、一定の再生時間（時間間隔ＴＭＵ）で先頭から順に切り分ける。ビデオタイトルセットタイムマップテーブル（ＶＴＳ  ＴＭＡＰＴ）には、上記時間間隔ＴＭＵが記録されるとともに、上述のようにして切り分けられた各グループの先頭にあるＶＯＢＵのアドレスが、出現順に記録されている。
【００７８】
ＣＰＵ４は、再生希望時間ｔsが、切り分けられた上記グループのいずれに属するかを算出する。上記グループの出現順位ｎ（０、１、２、・・・）は、次式で求められる、
ｎ＝ｔs／ＴＭＵ    。
【００７９】
ＣＰＵ４は、算出された出現順位ｎのグループの先頭にあるＶＯＢＵのアドレスを、上記ビデオタイトルセットタイムマップテーブル（ＶＴＳ  ＴＭＡＰＴ）から取得する。このようにして、再生希望時間ｔsに近いビデオオブジェクトユニット（ＶＯＢＵ）のアドレスを求めることができる。
【００８０】
ＣＰＵ４は、このようにして求めたＶＯＢＵについて、その属するセル番号が、ステップＳ２１で求めたセル番号ｄＣＮに一致するか否かをチェックする（ステップＳ２３）。すなわち、前ステップにおいて求めたＶＯＢＵが、ステップＳ２１で求めたセルに属するか否かをチェックする。
【００８１】
前ステップにおいて求めたＶＯＢＵと、再生希望時間ｔsに対応するＶＯＢＵとは、ともに、上述の出現順位ｎのグループに属することは確かであるが、前ステップにおいて求めたＶＯＢＵの属するセルが、再生希望時間ｔsに対応するＶＯＢＵの属するセルに属するとは限らないからである。すなわち、前ステップにおいて求めたＶＯＢＵの属するセルは、再生希望時間ｔsに対応するＶＯＢＵの属するセル（セル番号ｄＣＮ）と同一であるか、または、一つ前のセルである。
【００８２】
ステップＳ２２で求めたＶＯＢＵの属するセル番号が、ステップＳ２１で求めたセル番号ｄＣＮに一致しない場合には、ＣＰＵ４は、上述のビデオタイトルセットタイムマップテーブル（ＶＴＳ  ＴＭＡＰＴ）における、当該ＶＯＢＵの次のＶＯＢＵのアドレスを取得する（ステップＳ２５）。
【００８３】
このようにして求めたＶＯＢＵは、ステップＳ２２で求めたＶＯＢＵの属するセルの次のセル、すなわち、再生希望時間ｔsに対応するＶＯＢＵの属するセル（セル番号ｄＣＮ）に属するはずである。このようにして、再生希望時間ｔsを含むセル（セル番号ｄＣＮ）に属し、かつ、再生希望時間ｔsに近いＶＯＢＵのアドレスを得ることができる。
【００８４】
なお、ステップＳ２３において、ステップＳ２２で求めたＶＯＢＵの属するセル番号が、ステップＳ２１で求めたセル番号ｄＣＮに一致する場合には、当該ステップＳ２２で求めたＶＯＢＵが、再生希望時間ｔsを含むセル（セル番号ｄＣＮ）に属し、かつ、再生希望時間ｔsに近いＶＯＢＵとなるため、そのままステップＳ２４の処理に移る。
【００８５】
ステップＳ２４において、ＣＰＵ４は、求められたＶＯＢＵの再生開始時間ｔcを取得する（ステップＳ２４）。図７Ｃに示すように、求められたＶＯＢＵの再生開始時間ｔcは、タイトル先頭のセルから該ＶＯＢＵを含むセル（セル番号ｄＣＮ）の前のセルまでの再生時間の合計ｔmと、該ＶＯＢＵを含むセルの先頭から該ＶＯＢＵまでの再生経過時間ｔvとの和をとればよい。
【００８６】
各セルの再生時間は、ステップＳ１においてメモリ２に格納されている。また、該ＶＯＢＵを含むセルの先頭から該ＶＯＢＵまでの再生経過時間ｔvは、前述のように、ナビゲーションパック（ＮＶ  ＰＣＫ）に記録されている。したがって、ＣＰＵ４は、該ＶＯＢＵのアドレスに基づいて該ＶＯＢＵのナビゲーションパック（ＮＶ  ＰＣＫ）の内容を調べることによって、再生経過時間ｔvを知ることができる。このようにして、ＣＰＵ４は、前ステップで求められたＶＯＢＵの再生開始時間ｔcを取得する。
【００８７】
つぎに、ＣＰＵ４は、求められたＶＯＢＵの再生開始時間ｔcが、所望の再生希望時間ｔsに一致するか又はその直前であるか否かをチェックする（ステップＳ２６）。
【００８８】
ＶＯＢＵの再生開始時間ｔcが、所望の再生希望時間ｔsに一致せず、かつ、その直前でもない場合には、ＣＰＵ４は、該ＶＯＢＵの直前または直後のＶＯＢＵのアドレスを取得する（ステップＳ２７）。前述のように、各ＶＯＢＵの直前または直後のＶＯＢＵのアドレスは、ステップＳ１においてメモリ２に格納されている。
【００８９】
その後、ステップＳ２４に戻り、新たなＶＯＢＵについて、再生開始時間ｔcを算出する。ステップＳ２４〜ステップＳ２７を繰り返すことで、タイトル先頭からの再生開始時間ｔcが所望の再生希望時間ｔsに一致するか又はその直前であるようなＶＯＢＵを見つけることができる。見つけられたＶＯＢＵのアドレスが、当該タイトルにおける新たな再生位置（アドレス）となる。
【００９０】
図５に戻って、ＣＰＵ４は、再生位置を、該ＶＯＢＵに移動し、該ＶＯＢＵから再生を開始する（ステップＳ１０）。この場合、ＶＯＢＵの再生開始時間ｔcが、所望の再生希望時間ｔsと一致した時点から、再生画像を表示するようにするのが好ましい。
【００９１】
このように、この実施形態においては、タイトルの総再生時間と当該タイトルにおける再生希望時間とを相互に対比可能にグラフ表示するとともに、上記再生希望時間に対応する再生位置を新たな再生位置としてタイトルを再生するようにしている。
【００９２】
したがって、タイトルの総再生時間と当該タイトルにおける再生希望時間との相対関係を直感的に把握することができる。すなわち、再生希望箇所を、タイトルの総再生時間に対する再生希望時間の相対的な関係として容易に把握することができる。この結果、希望する再生位置に変更することが容易になる。
【００９３】
さらに、タイトル開始から現在までの再生経過時間をも、タイトルの総再生時間に対して対比可能にグラフ表示するようにしている。したがって、タイトルの総再生時間と当該タイトルにおける現在の再生経過時間との相対関係をも、直感的に把握することができる。すなわち、再生希望箇所を、タイトルの総再生時間および現在の再生経過時間に対する再生希望時間の相対的な関係として容易に把握することができる。この結果、希望する再生箇所に変更することがより容易になる。
【００９４】
所望の再生位置から再生が開始されると、ＣＰＵ４は、タイトル停止命令を監視する（ステップＳ１２）。なお、ステップＳ５において、タイトル再生位置を変更する要求がないときも、ＣＰＵ４は、タイトル停止命令を監視している。
【００９５】
リモコン１６からタイトル停止命令が入力されたり、タイトルが最後まで再生されることにより割込みが生じたりした場合には、処理を終了する。タイトル停止命令を監視すると同時に、ＣＰＵ４は、タイトル再生位置の変更要求を監視しており（ステップＳ１１）、タイトル再生位置の変更要求があれば、再び、ステップＳ４以後の処理を行なう。
【００９６】
なお、ステップＳ３において、視聴者から現在の再生位置を表示せよとの要求がない場合も、ＣＰＵ４は、タイトル再生位置の変更要求およびタイトル停止命令を監視している。
【００９７】
なお、図５のフローチャートにおけるステップＳ４が、図１の再生所要時間データ取得手段３０、再生経過時間データ取得手段３４および表示制御手段３８に対応する。ステップＳ６〜ステップＳ７が、再生希望時間データ取得手段３２及び表示制御手段３８に対応する。また、ステップＳ９〜ステップＳ１０が、再生制御手段４０に対応する。
【００９８】
なお、上述の実施形態においては、所定再生単位が、現在再生中のタイトルである場合を例に説明したが、所定再生単位はこれに限定されるものではない。上述のように、一つのタイトルは、一般に、複数のチャプター（章）により構成されているが（図９参照）、現在再生中のチャプターを所定再生単位として本発明を実施することができる。このような実施形態について、説明する。
【００９９】
この場合、図８に示すグラフ４２の全長が、現在再生中のチャプター総再生時間に対応し、グラフ４２の縦線塗り潰し部分が、チャプター開始から現在までの再生経過時間に対応する。
【０１００】
ＤＶＤビデオプレーヤの動作は、上述の実施形態（所定再生単位が現在再生中のタイトルである場合）と類似である。すなわち、図５のフローチャートにおいて、「タイトル」を「チャプター」と読み変えればよい。ただし、ステップＳ１２は、読み変えない。
【０１０１】
また、図５のステップＳ４において、現在再生中のチャプターの総再生時間は、当該チャプターを構成する各セル（図９参照）の再生時間の和として求められる。当該チャプターを構成する各セルのセル番号は、当該チャプターの先頭セルのセル番号と当該チャプターの次のチャプターの先頭セルのセル番号に基づいて特定することができる。なお、各セルの再生時間、および、各チャプターの先頭セルのセル番号は、ステップＳ１においてメモリ２に格納されている。
【０１０２】
一方、チャプター開始から現在までの再生経過時間は、チャプター先頭のセルから現在再生中のセルの前のセルまでの再生時間の合計と、現在再生中のセルの先頭から現在再生中のＶＯＢＵまでの再生経過時間との和をとればよい。
【０１０３】
各セルの再生時間は、ステップＳ１においてメモリ２に格納されている。また、現在再生中のセルの先頭から現在再生中のＶＯＢＵまでの再生経過時間は、上述のように、ナビゲーションパック（ＮＶ  ＰＣＫ）に記録されており、ＣＰＵ４は、タイトルの再生中に、映像／音声復号処理部１０を介して、ナビゲーションパック（ＮＶ  ＰＣＫ）から当該データを読取ることができる。このようにして、チャプター開始から現在までの再生経過時間を知ることができる。
【０１０４】
あとは、上述の実施形態と同様である。すなわち、このようにして得られた現在再生中のチャプターの総再生時間をＡ、チャプター開始から現在までの再生経過時間をＢで表し、当該総再生時間Ａに対応する棒状のグラフの長さ（再生所要時間データ）をａに設定し、当該再生経過時間Ｂに対応する棒状のグラフの長さ（再生経過時間データ）ｂを、次式で算出するとともに、
ｂ＝Ｂ／Ａ×ａ    、
得られたａおよびｂに基づいて、グラフ表示（絵表示）を行なうためのデータを生成し、映像／音声復号処理部１０を介して、図８に示すように、ＣＲＴ２４の表示部２４ａにグラフ４２を表示させる。
【０１０５】
また、図５のステップＳ９において、ＣＰＵ４は、カーソル４４の位置を読取り、読取ったカーソル４４の位置情報に基づいて、当該チャプターにおける新たな再生位置（アドレス）を求めるが、この場合、チャプターの先頭を起点とする新たな再生位置における再生時間（再生希望時間）ｔs、
ｔs＝ｃ／ａ×Ａ
を求めるとともに、タイトルの先頭を起点とする新たな再生位置における再生時間Ｔsを、次式にしたがって求めておく、
Ｔs＝Ｔ０＋ｔs    。
【０１０６】
上式において、Ｔ０は、タイトルの先頭から現在再生中のチャプターの前のチャプターまでの各チャプターの再生時間の和である。なお、各チャプターの再生時間は、上述のように、チャプターを構成する各セルの再生時間の和として求められる。
【０１０７】
このようにして求めた、タイトルの先頭を起点とする新たな再生位置における再生時間Ｔsを用いることによって、上述の実施形態と同様の方法で、新たな再生位置（アドレス）を求めることができる。
【０１０８】
なお、タイトルの再生が進行し、再生箇所が次のチャプターに移動すると、上記グラフ４２の表示も、自動的に、次のチャプターに関する表示にかわるようにすることが好ましい。
【０１０９】
このように、チャプターを所定再生単位として本発明を実施することにより、より精度の高い、再生希望位置の設定が可能となる。
【０１１０】
なお、所定再生単位をタイトルとしたグラフ表示と、所定再生単位をチャプターとしたグラフ表示とを、適宜、切換えて使用し得るよう構成することもできる。
【０１１１】
つぎに、図１０に、この発明のさらに他の実施形態による情報再生制御装置５０の構成を示す。情報再生制御装置５０は、図１に示す情報再生制御装置２０と類似である。ただし、さらに、分割再生単位再生所要時間データ取得手段３６を備えている点で、情報再生制御装置２０と異なる。
【０１１２】
分割再生単位再生所要時間データ取得手段３６は、記録媒体２２に記録された管理情報に基づいて、再生単位を構成する分割再生単位の再生所要時間データを取得する手段である。
【０１１３】
情報再生制御装置５０においては、図１１に示すように、ＣＲＴの表示部２４ａ上に、現在再生中のタイトル（再生単位）の総再生時間に対応する長さをａ、タイトル開始から現在までの再生経過時間に対応する長さをｂとするグラフ５２および、再生希望時間に対応する長さをｃとしたカーソル４４を表示するとともに、グラフ５２に、タイトルを構成する各チャプター（分割再生単位）の再生時間に対応する長さｄ１，ｄ２，ｄ３，・・・で区分された領域（各領域が、それぞれのチャプターに対応する。）をそれぞれ表示するようにしている。なお、各チャプターに対応する領域は、それぞれ色分けなどにより相互に識別可能にしておくことが好ましい。
【０１１４】
このように構成することで、タイトルの総再生時間と当該タイトルを構成するチャプターの再生時間との相対関係を直感的に把握することができる。すなわち、再生希望箇所を、タイトルの総再生時間およびチャプターの再生時間に対する再生希望時間の相対的な関係として容易に把握することができる。この結果、希望する再生箇所に変更することがさらに容易になる。
【０１１５】
なお、上述の各実施形態においては、絵表示が、再生単位の再生所要時間を基準量とするグラフ表示を含むよう構成したが、この発明はこれに限定されるものではない。再生単位の再生所要時間以外の量を基準量とするグラフ表示を含むよう構成することもできる。また、絵表示は、必ずしもグラフ表示を含む必要はない。
【０１１６】
また、上述の各実施形態においては、再生単位の再生所要時間、当該再生単位における現在の再生経過時間、および、当該再生単位における再生希望時間の３つを、相互に対比可能に絵表示するよう構成した場合を例に説明したが、この発明はこれに限定されるものではない。上記３つのうち任意の２つ、たとえば、所定再生単位における現在の再生経過時間、および、当該再生単位における再生希望時間のみを、相互に対比可能に絵表示するよう構成することもできる。
【０１１７】
また、絵表示のみならず、上述の再生単位の再生所要時間、当該再生単位における現在の再生経過時間、当該再生単位における再生希望時間、当該再生単位を構成する分割再生単位の再生所要時間などを示す文字（数字）表示を、併せて表示させるようにしてもよい。
【０１１８】
また、上述の各実施形態においては、再生情報を絵表示の表示される表示装置に表示するよう構成したが、この発明はこれに限定されるものではない。たとえば、再生情報と絵表示とを異なる表示装置に別個に表示するよう構成することもできる。
【０１１９】
また、上述の各実施形態においては、ＣＰＵ４を用いて図１の情報再生装置２０または図１０の情報再生装置５０を具体化した場合を例に説明したが、図１の各機能または図１０の各機能の一部または全体を、ハードウェアロジックにより実現することもできる。
【０１２０】
また、上述の実施形態においては、情報再生制御装置として、ＤＶＤビデオプレーヤを例に説明したが、この発明はこれに限定されるものではない。たとえば、ＬＤプレーヤやＣＤプレーヤなど、画像情報を再生するための装置全般に、この発明を適用することができる。さらに、画像情報を再生する装置のみならず、音声情報のみを再生するような装置にも、この発明を適用することができる。また、記録媒体に記録された再生情報に対して、ランダムアクセス可能か否かにかかわらず、この発明を適用することができる。
【図面の簡単な説明】
【図１】この発明の一実施形態による情報再生制御装置２０の構成を示す図面である。
【図２】図１に示す情報再生制御装置をＤＶＤビデオプレーヤ２０として実現した場合のハードウェア構成を示す図面である。
【図３】ディスク２２に記録されたデータの論理データ構造の一例を示す図面である。
【図４】ディスク２２に記録されたデータの論理データ構造の一例を示す図面である。
【図５】プレーヤ２０の動作を説明するためのフローチャートである。
【図６】プレーヤ２０の動作を説明するためのフローチャートである。
【図７】図７Ａないし図７Ｃは、プレーヤ２０の動作を説明するための図面である。
【図８】情報再生制御装置２０の場合におけるＣＲＴの表示部２４ａを示す図面である。
【図９】タイトルを構成するチャプターを説明するための図面である。
【図１０】この発明のさらに他の実施形態による情報再生制御装置５０の構成を示す図面である。
【図１１】情報再生制御装置５０の場合におけるＣＲＴの表示部２４ａを示す図面である。
【図１２】ＤＶＤビデオディスクに記録されたタイトルの構成を概念的に表わした図面である。
【符号の説明】
２４ａ・・・・表示部
４２・・・・・グラフ
４４・・・・・カーソル
ａ・・・・・・総再生時間に対応する長さ
ｂ・・・・・・再生経過時間に対応する長さ
ｃ・・・・・・再生希望時間に対応する長さ
【図１】
0003840790.tif 000002
【図２】
0003840790.tif 000003
【図３】
0003840790.tif 000004
【図４】
0003840790.tif 000005
【図５】
0003840790.tif 000006
【図６】
0003840790.tif 000007
【図７】
0003840790.tif 000008
【図８】
0003840790.tif 000009
【図９】
0003840790.tif 000010
【図１０】
0003840790.tif 000011
【図１１】
0003840790.tif 000012
【図１２】
0003840790.tif 000013